(57)【要約】【課題】本発明は、ディジタル放送システムにおいて、ハンドオーバーをする方法及び装置を提供する。【解決手段】本発明によれば、放送サービスを受信する途中、サービング放送送出機からの受信信号の強さを測定して、前記受信信号の強さを基準値と比較して、前記受信信号の強さが前記基準値より大きければ、前記放送サービスを続けて受信しながら前記受信信号の強さを周期的に測定し、前記受信された信号の強さが前記基準値より小さければ、移動通信基地局に放送システムのハンドオーバー手順遂行開始を要請する要請メッセージを伝送し、前記移動通信基地局から放送システムのハンドオーバー遂行に対する受諾メッセージを受ければ、前記サービング放送送出機から目的放送送出機へのハンドオーバー手順を遂行する。このようにすれば、ハンドオーバーの誤りを低減し、ハンドオーバー遂行時間を低減することができる。【選択図】図５
2007089184.tif 000002
【特許請求の範囲】
【請求項１】
ディジタル放送システムにおいて、端末がハンドオーバーを遂行するための方法であって、
放送サービスを受信しながらサービング放送送出機からの受信信号の強さを測定して予め定まった基準値と比較する過程と、
前記測定した受信信号の強さが前記基準値より大きければ、前記放送サービスを続けて受信しながら前記受信信号の強さを周期的に測定する過程と、
前記測定した受信信号の強さが前記基準値以下であれば、移動通信システムの基地局に前記放送システムのハンドオーバー遂行開始要請メッセージを伝送する過程と、
前記基地局から前記放送システムのハンドオーバー遂行開始要請に対する受諾メッセージを受ければ、前記サービング放送送出機から目的放送送出機へのハンドオーバーを遂行する過程と、
を含むことを特徴とするハンドオーバー遂行方法。
【請求項２】
前記ハンドオーバーを遂行する過程は、
前記基地局から受信した前記受諾メッセージから前記目的放送送出機のアンサンブルに対する情報を検出する過程と、
前記アンサンブルに対する情報を用いて、前記目的放送送出機のサービス領域へ移動することを特徴とする請求項１記載のハンドオーバー遂行方法。
【請求項３】
前記目的放送送出機のサービス領域へ移動した後、
前記目的放送送出機からの高速情報チャンネル（ＦＩＣ）を復調しなくて、主サービスチャンネル（ＭＳＣ）を復調して、前記放送サービスのサービスデータを獲得する過程を含むことを特徴とする請求項２記載のハンドオーバー遂行方法。
【請求項４】
前記ハンドオーバーを遂行する過程は、
前記受信中のサービスを含んでいる候補アンサンブルを探す過程と、
前記候補アンサンブルが存在すれば、前記サービング放送送出機から高速情報チャンネル（ＦＩＣ）を介して受信したサービス情報（ＳＩ）のうち、アンサンブルの位置を表す地域定義（Region Definition）情報を用いて、前記候補アンサンブルの優先順位を決定する過程と、
前記優先順位の高いアンサンブルを選択し、前記選択したアンサンブルの受信信号の強さを前記基準値と比較する過程と、
前記選択したアンサンブルの受信信号の強さが前記基準値より大きければ、前記選択したアンサンブルを有する目的放送送出機にハンドオーバーを遂行する過程と、
前記選択したアンサンブルの受信信号の強さが前記基準値以下であれば、次の優先順位を有するアンサンブルの受信信号の強さを測定してハンドオーバー遂行の可否を判断する過程と、
を更に含むことを特徴とする請求項１記載のハンドオーバー遂行方法。
【請求項５】
前記優先順位を決定する過程は、
前記サービング放送送出機に近い順序によって高い優先順位を与えることを特徴とする請求項４記載のハンドオーバー遂行方法。
【請求項６】
ディジタル放送システムにおいて、移動通信システムの基地局が端末のハンドオーバー遂行を支援するための方法であって、
自身のセル領域内でサービング放送送出機から放送サービスを受信している前記端末から前記放送システムのハンドオーバー遂行を要請する要請メッセージを受信する過程と、
前記要請メッセージによって前記端末の位置を把握し、予め設定された放送送出機位置マップを用いて、前記端末が放送システムのハンドオーバーを遂行すべき位置にあるか否かを判断する過程と、
前記端末が放送システムのハンドオーバーを遂行すべき位置にあると判断されれば、前記ハンドオーバー遂行を受諾する受諾メッセージを前記端末に伝送する過程と、
前記端末が放送システムのハンドオーバーを遂行すべき位置に存在しないと判断されれば、前記ハンドオーバー遂行を拒む拒絶メッセージを前記端末に伝送する過程と、
を含むことを特徴とするハンドオーバー遂行方法。
【請求項７】
前記端末が放送システムのハンドオーバーを遂行すべき位置にあると判断されれば、前記受諾メッセージに前記端末がハンドオーバーする目的放送送出機のアンサンブルに対する情報を乗せて伝送することを特徴とする請求項６記載のハンドオーバー遂行方法。
【請求項８】
前記受諾メッセージにデータ復調のために必要とするパラメータを更に乗せて伝送することを特徴とする請求項７記載のハンドオーバー遂行方法。
【請求項９】
前記データ復調のために必要とするパラメータは、
前記放送システムにおいて、ハンドオーバーする目的放送送出機の主サービスチャンネル（ＭＳＣ）データを復調するために必要とする多重化構成情報（ＭＣＩ）であることを特徴とする請求項８記載のハンドオーバー遂行方法。
【請求項１０】
前記端末の位置は、前記端末が周辺の他の基地局の信号を受信した時間情報を用いたり、前記端末に備えられる衛星航法装置（ＧＰＳ）を用いて把握することを特徴とする請求項６記載のハンドオーバー遂行方法。
【請求項１１】
前記判断する過程は、
前記端末が前記サービング放送送出機のサービス領域から外れるか否かを判断することを特徴とする請求項６記載のハンドオーバー遂行方法。
【請求項１２】
ディジタル放送システムにおいて、端末がハンドオーバーを遂行するための装置であって、
サービング放送送出機から放送サービス信号を受信して、前記受信された信号の強さを測定する信号強さ測定部と、
前記受信信号の強さを予め定まった基準値と比較して、前記受信信号の強さが前記基準値より小さければ、前記端末が属した移動通信システムの基地局に前記放送システムのハンドオーバー遂行を要請する要請メッセージを伝送し、前記基地局から前記放送システムのハンドオーバー遂行に対する受諾応答を受ければ、前記サービング放送送出機から目的放送送出機へのハンドオーバーを遂行する制御部と、
から構成されることを特徴とするハンドオーバー遂行装置。
【請求項１３】
前記制御部は、
前記基地局から前記目的放送送出機のアンサンブルに対する情報を受信し、前記アンサンブルに対する情報を用いて、前記目的放送送出機のサービス領域へ移動することを特徴とする請求項１２記載のハンドオーバー遂行装置。
【請求項１４】
前記目的放送送出機のサービス領域へ移動した後、
前記目的放送送出機からの高速情報チャンネル（ＦＩＣ）を復調しなくて、主サービスチャンネル（ＭＳＣ）を復調して、前記放送サービスのサービスデータを獲得することを特徴とする請求項１３記載のハンドオーバー遂行装置。
【請求項１５】
前記制御部は、
前記受信中のサービスを含んでいる候補アンサンブルを探して、前記候補アンサンブルが存在すれば、前記サービング放送送出機から高速情報チャンネル（ＦＩＣ）を介して受信したサービス情報（ＳＩ）のうち、アンサンブルの位置を表す地域定義（Region Definition）情報を用いて、前記候補アンサンブルの優先順位を決定し、
前記優先順位の高いアンサンブルを選択し、前記信号強さ測定部で測定した前記選択したアンサンブルの受信信号の強さを前記基準値と比較して、前記選択したアンサンブルの受信信号の強さが前記基準値より大きければ、前記選択したアンサンブルを有する目的放送送出機にハンドオーバーを遂行し、
前記選択したアンサンブルの受信強さが前記基準値より大きくなければ、次の優先順位を有するアンサンブルの受信信号の強さを測定してハンドオーバーの可否を判断することを特徴とする請求項１２記載のハンドオーバー遂行装置。
【請求項１６】
前記優先順位は、前記サービング放送送出機に近い順序によって高い優先順位を与えることを特徴とする請求項１５記載のハンドオーバー遂行装置。
【請求項１７】
前記放送信号データを復調して主サービスチャンネル（ＭＳＣ）データと高速情報チャンネル（ＦＩＣ）データとに区分し、前記ＦＩＣデータを用いて多重化構成情報（ＭＣＩ）とサービス情報（ＳＩ）を検出する制御情報処理部と、
前記制御情報処理部から伝えられた前記ＭＣＩと前記ＳＩを用いて、前記ＭＳＣデータを各サービス別に復号するデータ処理部と、
前記復号されたデータを受信して端末機画面に必要な形態で出力するアプリケーションモジュールを更に含むことを特徴とする請求項１２記載のハンドオーバー遂行装置。
【請求項１８】
ディジタル放送システムにおいて、移動通信システムの基地局が端末のハンドオーバーを支援するための装置であって、
セル領域内にある前記端末から放送システムのハンドオーバー遂行を要請する要請メッセージを受信し、ハンドオーバーの遂行を受諾する応答メッセージを前記端末に伝送する送受信部と、
周辺放送送出機の位置を羅列した放送送出機位置マップを格納しているメモリ部と、
前記要請メッセージによって前記端末の位置を把握し、前記放送送出機位置マップを用いて、前記端末が放送システムのハンドオーバーを遂行すべき位置にあるか否かを判断して、前記端末が放送システムのハンドオーバーを遂行すべき位置にあると判断されれば、前記ハンドオーバー遂行を受諾する受諾メッセージを前記送受信部を通じて前記端末に伝達し、前記端末が放送システムのハンドオーバーを遂行すべき位置に存在しないと判断されれば、前記ハンドオーバー遂行を拒む拒絶メッセージを前記送受信部を通じて前記端末に伝達する制御部と、
から構成されることを特徴とするハンドオーバー遂行装置。
【請求項１９】
前記制御部は、前記端末が放送システムのハンドオーバーを遂行すべき位置にあると判断されれば、前記受諾メッセージに前記端末がハンドオーバーする目的放送送出機のアンサンブルに対する情報を乗せて前記端末に伝送することを特徴とする請求項１８記載のハンドオーバー遂行装置。
【請求項２０】
前記受諾メッセージにデータ復調のために必要とするパラメータを更に乗せて伝送することを特徴とする請求項１９記載のハンドオーバー遂行装置。
【請求項２１】
前記端末の位置は、前記端末が周辺の他の基地局から信号を受信した時間情報を用いたり、前記端末に備えられる衛星航法装置（ＧＰＳ）を用いて把握することを特徴とする請求項１８記載のハンドオーバー遂行装置。
【請求項２２】
前記制御部は、前記端末の位置が前記サービング放送送出機のサービス領域から外れるか否かを判断してハンドオーバーの遂行の可否を判断することを特徴とする請求項１８記載のハンドオーバー遂行装置。
【発明の詳細な説明】
【技術分野】
【０００１】
本発明は、ディジタル放送システムに関し、特に、ディジタル放送システムにおいて、ハンドオーバーを遂行するための方法及び装置に関する。
【背景技術】
【０００２】
ディジタル放送システムにおいて、ディジタルオーディオ放送（Digital Audio Broadcasting；以下、“ＤＡＢ”と称する）システムは、ヨーロッパで既存のＡＭ及びＦＭ放送のディジタル化を目的として接近したオーディオ及びデータサービスのディジタル放送システムである。前記ＤＡＢシステムのフレーム構造に対する説明は下記の通りである。
【０００３】
図１は、一般的なＤＡＢシステムのフレーム構造を簡略に示す図である。
【０００４】
前記ＤＡＢフレーム１０１は、同期チャンネル１０２、高速情報チャンネル（Fast Information Channel；以下、“ＦＩＣ”と称する）１０３及び主サービスチャンネル（Main Service Channel；以下、“ＭＳＣ”と称する）１０４から構成される。前記ＤＡＢフレーム１０１は、１つのＮｕｌｌシンボルと７６個のシンボルで構成されるが、第１の直交周波数分割多重化（Orthogonal Frequency Division Multiplexing；以下、“ＯＦＤＭ”と称する）シンボルはＮｕｌｌシンボルであり、第２のＯＦＤＭシンボルは位相参照シンボル（Phase Reference Symbol；以下、“"ＰＲＳ”と称する）である。前記第１のＮｕｌｌシンボルには伝送される信号がないので、Ｎｕｌｌシンボル区間の間のエネルギーは他のシンボルの伝送区間に比べて顕著に低い。したがって、受信器はエネルギー検出アルゴリズムを使用して、前記Ｎｕｌｌシンボル区間を見つけることにより、フレームの開始時点を見つけることができる。前記第２のシンボルのＰＲＳは、データ復調のために必要とする位相情報を伝送する。前記２つのシンボルが構成するチャンネルが前記同期チャンネル１０２であり、前記同期チャンネル１０２はＤＡＢフレームにおいて時間的に最も前部分の２つのシンボル区間である。前記同期チャンネル１０２の以後はＦＩＣ１０３区間であり、３つのシンボルがＦＩＣを伝送するために使われる。残りの７２個のシンボルはＭＳＣ１０４を伝送するために使われる。
【０００５】
前記ＦＩＣ１０３は、高速情報ブロック（Fast Information Block；以下、“ＦＩＢ”と称する）１０５から構成され、前記１つのＦＩＣ１０３を通じて伝送されるＦＩＢ１０５の個数は伝送モードによって異なる。伝送モードは総４つが可能であり、伝送モード１の場合は１２個、伝送モード２の場合は３個、伝送モード３の場合は４個、伝送モード４の場合は６個である。前記ＦＩＢ１０５は総２５６ビット長さであり、前記ＦＩＢ１０５はＦＩＢデータ１０６の２４０ビットとＣＲＣ（Cyclic Redundancy Check）１０７の１６ビットで構成される。前記ＦＩＢデータ１０６は、また多数の高速情報グループ（Fast Information Group；以下、“ＦＩＧ”と称する）１０８から構成される。前記ＦＩＧ１０８は、ＦＩＧヘッダ１０９とＦＩＧデータ区間１１０とに分けられる。前記ＦＩＧヘッダ１０９は、ＦＩＧデータ区間１１０で伝送されるデータのタイプを知らせるＦＩＧタイプ１１１とＦＩＧデータ区間１１０の長さを知らせるＦＩＧ長さ１１２で構成されている。前記ＦＩＧ１０８は、ＦＩＢデータ１０６を通じて伝送されるが、伝送するＦＩＧ１０８の総長さがＦＩＢデータ１０６の長さと同一でない場合、終了指示子１１３を通じて有効なデータ区間の終わりを知らせ、残りの区間は０で満たす。前記終了指示子１１３は８ビットであり、全て１の値である。
【０００６】
前記ＭＳＣ１０４は、伝送するデータが位置する区間であって、共用インターリーブフレーム（Common Interleaved Frame；以下、“ＣＩＦ”と称する）１１４から構成され、前記ＣＩＦ１１４の個数は伝送モードによって異なる。伝送モード１の場合は、４個、伝送モード２と３は１個、伝送モード４は２個のＣＩＦが１つのＭＳＣに伝送される。前記ＣＩＦ１１４は長さが５５２９６ビットであり、サブチャンネル１１５から構成される。前記伝送するサブチャンネルがＣＩＦの長さを全て満たすことができない場合、残りの区間は０で満たす。
【０００７】
前記ＦＩＣに伝送される情報は、交通情報や応急メッセージを伝送するためのＦＩＣデータサービス信号と、多重化構成情報（Multiplex Configuration Information；以下、“ＭＣＩ”と称する）と、サービス情報（Service Information；以下、“ＳＩ”と称する）などが含まれる。
【０００８】
前記ＭＣＩは、ＭＳＣを構成する各サブチャンネルに対する位置と長さ情報、そして各サブチャンネルのチャンネル符号化率に対する情報を伝送する。また、前記ＭＣＩは１つのアンサンブル（Ensemble）を通じて伝送されるサービスの目録を伝送する。また、前記ＭＣＩは１つのアンサンブルを通じて種々なるサービスが伝送されることにおいて、前記各サービスが如何なるサービスコンポーネントと連結されているか、その連結関係に対する情報を伝送する。また、前記ＭＣＩは前記各サービスが１つ、あるいは、種々なるサービスコンポーネントと連結されることにおいて、前記各サービスコンポーネントが如何なるサブチャンネルを介して伝送されるか、その連結関係に対する情報を伝送する。また、前記ＭＣＩは前記多重化情報が再構成された時に再構成された情報を伝送する。
【０００９】
前記ＳＩは、前記ＭＣＩには含まれていない、各サービスに対する情報を知らせてくれる。前記ＳＩにはサービスコンポーネントに関する情報と時間及び国家に対する情報、プログラムと関連した情報など、現在伝送しているアンサンブルに含まれているサービスと関連した情報が含まれる。また、前記ＳＩには周波数情報（Frequency Information；以下、“ＦＩ”と称する）、送出機識別情報（Transmitter Identification Information；以下、ＴＩＩ“と称する）、他のアンサンブル情報（Other Ensemble；以下、”ＯＥ“と称する）、サービスリンク情報（Service Linking）、地域境界に対する情報（Region Definition）、地方サービス領域情報（Local service area）等、他のアンサンブル及びサービスに対する情報が含まれる。
【００１０】
前記ＦＩＣデータサービス信号は、ＦＩＣを通じて前記制御情報でないデータを送るサービスの信号をいい、前記ＦＩＣデータサービスの種類には、ページング（Paging）、交通情報チャンネル（Traffic Message Channel；以下、“ＴＭＣ”と称する）、応急警報システム（Emergency Warning Systems；以下、“ＥＷＳ”と称する）などがある。前記データサービスがＦＩＣを通じて伝送される場合を高速情報データチャンネル（Fast Information Data Channel；以下、“ＦＩＤＣ”と称する）という。
【００１１】
前記ＭＣＩ、ＳＩ及びＦＩＤＣは、ＦＩＧのデータ部分に伝送され、ＦＩＧのヘッダにはＦＩＧデータ部分から伝送されるデータによって各々異なる値で設定される。したがって、受信器では前記ヘッダを通じてＦＩＧのデータ部分から伝送されるデータの種類を判断することができる。前記ＦＩＧは、伝送するデータの量によって、その長さが可変的であり、各ＦＩＧの長さに対する情報もまたＦＩＧヘッダを通じて分かる。前記種々なるタイプのＦＩＧは多重化して１つのＦＩＣを構成する。
【００１２】
前記ＭＣＩとＳＩは、受信器がＤＡＢ信号を受信し復調して、サービスを使用者に提供するために必須的に知っていなければならない情報である。受信器は、前記ＭＣＩとＳＩを用いてＭＳＣに伝送されるデータを各サービス別に復調した後、使用者が選択したサービスを提供することができる。
【００１３】
前記使用者は、前記ＤＡＢサービスを利用することにおいて、固定された位置で用いたり、移動環境で利用することもある。前記使用者が固定された位置でＤＡＢサービスを利用する場合、前記使用者の端末機は前記サービスの信号を送出するＤＡＢ送出機から一定の距離に位置して時間的に受信信号の変化が大きくない。しかしながら、前記使用者が移動中にＤＡＢサービスを用いる場合、前記使用者の端末機と前記サービス信号を送出するＤＡＢ送出機との距離は変化することになる。したがって、端末機が受信するＤＡＢ送出機からの信号は時間的にその受信状態が変化することになる。
【００１４】
前記ＤＡＢ送出機は、前述したＤＡＢフレームを伝送するが、前記ＤＡＢ送出機が伝送するＤＡＢフレームを１つのアンサンブルと称する。前記ＤＡＢ送出機の信号であるアンサンブルは送出機の送出電力によって信号が到達する領域が限定される。前記送出機の信号が到達する領域を前記送出機のサービス区域と称する。そして、前記アンサンブルが到達して受信器が受信することができる領域をアンサンブルサービス区域という。前記送出機のアンサンブルが１つの送出機から送出される場合は、前記アンサンブルサービス区域と前記送出機のサービス区域は同一である。ところが、前記ＤＡＢ送出機のアンサンブルはＤＡＢ送出機毎に異なることもあり、種々のＤＡＢ送出機が同一なアンサンブルを伝送することもある。したがって、種々のＤＡＢ送出機が同一なアンサンブルを伝送する場合、アンサンブルサービス区域は１つの送出機サービス区域と一致しない。
【００１５】
図２は、アンサンブルサービス区域を簡略に示す図である。
【００１６】
前記図２を参照すれば、４個の互いに異なるＤＡＢ送出機が存在する。前記４個の送出機のうち、ＤＡＢ送出機（１）２０１はアンサンブルＡを伝送し、ＤＡＢ送出機（２）２０２はアンサンブルＢを伝送し、ＤＡＢ送出機（３）２０３はアンサンブルＡを伝送し、ＤＡＢ送出機（４）２０４はアンサンブルＡを伝送する。前記各ＤＡＢ送出機は、それぞれの送出機サービス区域を有する。前記各送出機のサービス区域は各送出機の信号が到達する領域であって、前記図２を参照すれば、各送出機を中心に円形で送出機のサービス区域が存在する。
【００１７】
前記ＤＡＢ送出機のうち、送出機（１）２０１、送出機（３）２０３、送出機（４）２０４は同一にアンサンブルＡを伝送している。即ち、前記３個のＤＡＢ送出機のサービス区域は異なるが、前記３個のＤＡＢ送出機のサービス区域では全て同一なアンサンブルＡを受信することができる。したがって、前記アンサンブルＡが受信できるアンサンブルサービス区域は、前記ＤＡＢ送出機（１）２０１、ＤＡＢ送出機（３）２０３及びＤＡＢ送出機（４）２０４のサービス区域を全て含んだ区域２０５である。
【００１８】
前記ＤＡＢ送出機（１）２０１のサービス区域において、アンサンブルＡを受信していた参照番号２０６の端末機がＤＡＢ送出機（３）２０３のサービス区域へ移動する場合、たとえアンサンブルＡを伝送するＤＡＢ送出機は送出機（１）２０１から送出機（３）２０３に変わったが、端末機２０６はアンサンブルＡを続けて受信することができる。前記端末機２０６はＡ位置にある時にはＤＡＢ送出機（１）２０１のサービス区域に属するが、Ｂ位置に移動すればＤＡＢ送出機（３）２０３のサービス区域に属する。しかしながら、２つの送出機の信号は同一なアンサンブルであるので、前記端末機２０６がアンサンブルＡ信号を受信して使用者に同一なサービスを提供することには問題がない。
【００１９】
しかしながら、前記ＤＡＢ送出機（１）２０１のサービス区域でアンサンブルＡを受信していた端末機２０７がＤＡＢ送出機（２）２０２のサービス区域へ移動することになれば、前記端末機２０７はこれ以上アンサンブルＡを受信することができなくなる。前記端末機２０７がＣ位置にある時には、前記ＤＡＢ送出機（１）２０１のサービス区域にあるが、Ｄ位置に移動すれば、ＤＡＢ送出機（２）２０２のサービス区域に位置することになるが、前記ＤＡＢ送出機（２）２０２はアンサンブルＡでないアンサンブルＢを伝送しているためである。したがって、前記端末機２０７は、Ｄ位置ではアンサンブルＡを受信することができないので、前記端末機２０７が受信して使用者に提供していたサービスは中断される。
【００２０】
前記図２に示すように、前記ＤＡＢシステムには、種々のＤＡＢ送出機が存在し、前記ＤＡＢ送出機の信号を受信する端末機が移動する環境では端末機がＤＡＢ送出機のサービス区域から外れて他のＤＡＢ送出機のサービス区域へ移動する状況が発生する。前記端末機がＤＡＢ送出機のサービス区域を移動した際、前記ＤＡＢ送出機が他のアンサンブルを伝送する場合、前記端末機は現在受信しているサービスを中断することになる。
【００２１】
ところが、前記アンサンブルは１つ以上のサービスから構成されている。即ち、前記アンサンブル内には種々の異なるサービスが多重化して伝送される。前記異なるサービスとは、オーディオサービス、ビデオサービス及びデータサービスなどをいう。
【００２２】
図３は、アンサンブル内のサービス多重化を示す図である。
【００２３】
前記図３を参照すれば、１つのアンサンブル３０１が有するサービスは１つ以上でありうる。前記１つのアンサンブル３０１をアンサンブルＡとする。前記アンサンブルＡは１つ以上のサービス３０２を有する。前記アンサンブルＡ３０１はＡｌｐｈａ１ラジオ、Ｂｅｔａラジオ、Ａｌｐｈａ２ラジオの３つのサービス３０２を有する。１つのサービス３０２は１つ以上のサービスコンポーネント３０３からなる。例えば、Ａｌｐｈａ１ラジオは‘オーディオ１’、‘Ａｌｐｈａ−ＴＭＣ’及び‘Ａｌｐｈａ−ＳＩ’の３つのサービスコンポーネントからなる。Ｂｅｔａラジオは、‘オーディオ’及び‘２ｎｄ−ｒｙオーディオ’の２つのサービスコンポーネントからなり、Ａｌｐｈａ２ラジオは‘オーディオ１’、‘オーディオ３’、‘Ａｌｐｈａ−ＴＭＣ’及び‘Ａｌｐｈａ−ＳＩ’の計４つのサービスコンポーネントからなる。前記各サービスは主サービスコンポーネント（Primary Service Component）を有することになるが、Ａｌｐｈａ１ラジオの場合は、‘オーディオ１’サービスコンポーネントが主サービスコンポーネントであり、Ｂｅｔａラジオは‘オーディオ２’を主サービスコンポーネントとして有する。Ａｌｐｈａ−２ラジオは‘オーディオ１’と‘オーディオ３’の２つのサービスコンポーネントがスイッチに連結されているので、２つ中の１つが主サービスコンポーネントとなる。即ち、前記Ａｌｐｈａ−２ラジオの場合は、Ａｌｐｈａ１ラジオが１つのサービスコンポーネントのみを主サービスコンポーネントとして有することとは異に、時間的に主サービスコンポーネントが変化する場合である。
【００２４】
前記サービスコンポーネント３０３は、各々１つのサブチャンネル３０４に伝送される。前記各サービスコンポーネントを伝送するサブチャンネル３０４はＭＳＣを構成し、前記サブチャンネル３０４がＭＳＣのどの位置で伝送されるかは、前記図１の説明でのように、ＭＣＩを通じて分かる。
【００２５】
前記図３の説明でのように、１つのアンサンブルには種々のサービスが多重化している。したがって、アンサンブルＡとアンサンブルＢとは互いに異なるアンサンブルが存在する際、前記２つのアンサンブル内には同一なサービスが存在することができる。即ち、アンサンブルが異なる状況でも同一なサービスが存在すれば、端末機は他のアンサンブルを受信しても同一なサービスが持続できる可能性が存在する。
【００２６】
前記端末は異なるアンサンブルを受信しても同一なサービスを持続するようにハンドオーバー過程を遂行することができ、ハンドオーバーのための判断を端末自ら決定する。前記ハンドオーバーのための判断の根拠は受信された信号の強さである。ところが、前記端末が受信する信号の強さが小さくなる場合は、端末が放送網の縁に位置する理由の以外にも端末が放送送出機の近くにあることにもかかわらず、障害物により信号が受信できないこと、または、陰影地域に進入して信号が受信できないことによる場合もある。したがって、前記端末が単に受信された信号の強さだけでハンドオーバー過程の開始の可否を判断することは、端末にハンドオーバー誤りを発生させることになる。
【発明の開示】
【発明が解決しようとする課題】
【００２７】
したがって、前記したように動作する従来技術の問題を解決するために案出した本発明の目的は、ディジタル放送システムにおいて、サービスの絶えない支援のために、ハンドオーバーを遂行することにおいて、移動通信システムの基地局からハンドオーバーを遂行する時点に対する情報を得て、ハンドオーバーする放送システムに対する情報を得ることにより、ハンドオーバー誤りを低減し、ハンドオーバー遂行時間が低減できるようにする方法及び装置を提供するものである。
【００２８】
本発明の他の目的は、端末が放送サービスを受ける途中、ハンドオーバーを遂行することにおいて、前記ハンドオーバー過程の開始の可否を移動通信システムの基地局が判断して、前記端末に前記対話チャンネルを用いてその開始の可否を知らせてくれるようにする方法及び装置を提供するものである。
【００２９】
本発明の更に他の目的は、端末と移動通信基地局との対話チャンネルを使用してハンドオーバー遂行にかかる時間を低減するための方法及び装置を提供するものである。
【課題を解決するための手段】
【００３０】
前記のような目的を達成するために案出した本発明の実施例は、ディジタル放送システムにおいて、移動通信システムを用いたハンドオーバーを遂行するための方法であって、放送サービスを受信する途中、サービング放送送出機からの受信信号の強さを測定して、前記受信信号の強さを基準値と比較する過程と、前記受信信号の強さが前記基準値より大きければ、前記放送サービスを続けて受信しながら前記受信信号の強さを周期的に測定する過程と、前記受信された受信信号の強さが前記基準値以下であれば、移動通信基地局に放送システムのハンドオーバー手順遂行開始を要請する要請メッセージを伝送する過程と、前記移動通信基地局から放送システムのハンドオーバー遂行に対する受諾メッセージを受ければ、前記サービング放送送出機から目的放送送出機へのハンドオーバー手順を遂行する過程と、を含むことを特徴とする。
【００３１】
本発明の他の実施例は、ディジタル放送システムにおいて、移動通信システムを用いたハンドオーバーを遂行するための方法であって、自身のセル領域内でサービング放送送出機から放送サービスを受信している前記端末から放送システムのハンドオーバー遂行開始を要請する要請メッセージを受信する過程と、前記要請メッセージによって前記端末の位置を把握し、予め設定された放送送出機位置マップを用いて前記端末が放送システムのハンドオーバーを遂行すべき位置であるか否かを判断する過程と、前記端末が放送システムのハンドオーバーを遂行すべき位置にあると判断されれば、前記ハンドオーバー遂行を受諾する受諾メッセージを前記端末に伝送する過程と、前記端末が放送システムのハンドオーバーを遂行すべき位置に存在しないと判断されれば、前記ハンドオーバー遂行開始を拒む拒絶メッセージを前記端末に伝送する過程と、を含むことを特徴とする。
【００３２】
本発明の更に他の実施例は、ディジタル放送システムにおいて、移動通信システムを用いたハンドオーバーを遂行するための装置であって、サービング放送送出機から信号を受信して、前記受信された信号の強さを測定する信号強さ測定部と、放送サービスを受信する途中、前記受信信号の強さを基準値と比較して、前記受信された信号の強さが基準値より小さければ、移動通信基地局に放送システムのハンドオーバー手順遂行開始を要請する要請メッセージを基地局に伝送し、前記移動通信基地局から放送システムのハンドオーバー遂行に対する受諾応答を受ければ、前記サービング放送送出機から目的放送送出機へのハンドオーバー手順を遂行する制御部から構成されることを特徴とする。
【００３３】
本発明の更に他の実施例は、ディジタル放送システムにおいて、移動通信システムを用いたハンドオーバーを遂行するための装置であって、セル領域内にある端末から放送システムのハンドオーバー遂行開始を要請する要請メッセージを受信し、ハンドオーバーの遂行開始応答メッセージを前記端末に伝送する送受信部と、周辺放送送出機の位置を羅列した放送送出機マップを格納しているメモリ部と、前記要請メッセージによって前記端末の位置を把握し、前記放送送出機位置マップを用いて前記端末が放送システムのハンドオーバーを遂行すべき位置であるか否かを判断し、前記端末が放送システムのハンドオーバーを遂行すべき位置にあると判断されれば、前記ハンドオーバー遂行開始を受諾する受諾メッセージを前記送受信部を通じて前記端末に伝達し、前記端末が放送システムのハンドオーバーを遂行すべき位置に存在しないと判断されれば、前記ハンドオーバー遂行開始を拒む拒絶メッセージを前記送受信部を通じて前記端末に伝達する制御部と、から構成されることを特徴とする。
【発明の効果】
【００３４】
以上、詳細に説明したように動作する本発明において、開示される発明のうち、代表的なことにより得られる効果を簡単に説明すれば、次の通りである。
【００３５】
本発明は、ディジタル放送システムにおいて、サービスの絶えない支援のためにハンドオーバーを遂行することにおいて、移動通信システムの基地局からハンドオーバーを遂行する時点に対する情報を得て、ハンドオーバーする放送システムに対する情報を得ることによって、ハンドオーバーの誤りを低減し、ハンドオーバー遂行時間を低減することができる効果がある。
【発明を実施するための最良の形態】
【００３６】
以下、添付の図面を参照しつつ本発明の好ましい実施例に対する動作原理を詳細に説明する。下記の本発明の説明において、関連した公知機能または構成に対する具体的な説明が本発明の要旨を曖昧にすることができると判断される場合は、その詳細な説明を適宜省略する。そして、後述する用語は本発明での機能を考慮して定義された用語であって、これは使用者、運用者の意図または慣例などによって変わることができる。したがって、その定義は本明細書の全般に亘る内容に基づいて下されるべきである。
【００３７】
本発明は、ディジタルオーディオ放送、ディジタルビデオ放送及びディジタルマルチメディア放送など、放送システムでディジタル伝送技術を使用するシステムを対象とする。本発明では前記ディジタル放送システムのうち、ディジタルオーディオ放送を実施例にし、その他のディジタル放送システムでは、前記ディジタルオーディオ放送の実施例を基にして同一なハンドオーバー過程を遂行することができる。但し、前記適用システムが変わる場合、各システムで使用する固有名称への転換が必要であり、これは本明細書では扱わない。
【００３８】
前記ディジタル放送システムで使われる端末は、ＤＡＢ信号のみ受信することができる放送専用端末であることができ、ＤＡＢ信号だけでなく移動通信信号も受信可能な複合端末であることもできる。前記複合端末の場合は、放送送出機からの信号と移動通信基地局からの信号を同時に受信可能である。即ち、放送システムと移動通信システムは同時に具現可能である。前記複合端末を放送システムの観点から見る時、前記放送システムの送出機から信号を受信するチャンネルは放送チャンネル（Broadcasting channel）といい、前記端末の移動通信網との通信チャンネルは対話チャンネル（Interaction channel）という。前記対話チャンネルの支援はＤＡＢシステムの規格で定義している。前記放送チャンネルは放送送出機から端末に信号を伝送する単方向チャンネルであるが、前記対話チャンネルは端末が移動通信基地局に、前記移動通信基地局が端末に信号を伝送することができる双方向チャンネルである。
【００３９】
本発明では、ディジタル放送システムにおけるハンドオーバーのために移動通信基地局との対話チャンネルを使用する方法を提案する。
【００４０】
図４は、本発明の好ましい実施例に係る移動通信基地局と放送送出機との位置関係を示す図である。前記放送送出機はディジタル放送システムを指称し、本明細書ではＤＡＢシステムを実施例とする。
【００４１】
前記図４を参照すれば、ＤＡＢ送出機（１）４０１とＤＡＢ送出機（２）４０２は、ＤＡＢサービスのための信号を伝送する送出機である。前記ＤＡＢ送出機（１）４０１のサービス領域には参照番号４０４の端末と参照番号４０５の端末が存在する。前記２つの端末４０４、４０５は、ＤＡＢ送出機（１）４０１のサービス領域に存在すると共に、移動通信基地局４０３の信号を受ける。したがって、前記２つの端末４０４、４０５は、移動通信基地局４０３と対話チャンネルを有する。
【００４２】
前記端末４０４は、移動通信基地局４０３のサービス領域の縁に位置すると共に、ＤＡＢ送出機（１）４０１のサービス領域の中央部分に位置する。前記端末４０５は移動通信基地局４０３のサービス領域内に位置すると共に、ＤＡＢ送出機（１）４０１のサービス領域の縁に位置する。また、端末４０５はＣからＤへ移動中である。
【００４３】
前記２つの端末４０４、４０５が共にＤＡＢ送出機からサービスを受けている途中、ＤＡＢ送出機からの信号が基準値以下に受信される場合を仮定する。前記端末４０４はＤＡＢ送出機（１）４０１のサービス領域の中央部に位置しているが、周辺の干渉要因により信号の強さが基準値以下に受信される場合を仮定し、前記端末４０５はＤＡＢ送出機（１）４０１のサービス領域の縁に存在して信号の強さが基準値以下に受信される場合を仮定する。この場合、前記端末４０５がＤＡＢ送出機（１）４０１の信号領域の縁で位置して受信信号の強さが微弱であるので、ハンドオーバー過程を遂行してＤＡＢ送出機（２）４０２の信号を受信することになることとは異に、前記端末４０４は、ＤＡＢ送出機（１）４０１のサービス領域の中央部に位置していることにもかかわらず、自身の位置を知らないので、信号の強さが受信値以下であるという理由で、ハンドオーバー動作を遂行することになる。しかしながら、前記端末４０４は自身の位置で他のＤＡＢ送出機の信号もまた受信できないので、ハンドオーバー誤動作が生じることになる。前記端末４０４の場合のように、ハンドオーバー遂行位置でないにもかかわらず、ハンドオーバー遂行過程を開始することができる誤りが発生することは、端末がハンドオーバー遂行過程を開始するための条件をＤＡＢ受信信号の強さのみで判断するためである。
【００４４】
本発明では、前記ハンドオーバー遂行過程を開始するための条件として、受信信号の強さを測定すると共に、前記移動通信基地局４０３から情報を受けることを提案する。前記移動通信基地局４０３から受ける情報は、前記移動通信基地局４０３が放送システムのハンドオーバーを要求する端末のハンドオーバー遂行開始の可否及び関連放送システムの制御情報を含む。本発明によれば、前記図４の端末４０４と端末４０５は、共に受信する信号の強さが基準値以下になる次第、ハンドオーバー過程を遂行するのでなく、ハンドオーバー遂行開始の前に各端末が属している移動通信基地局４０３にハンドオーバー遂行開始の可否を問合わせる。
【００４５】
前記移動通信基地局４０３は、自身のセル内の端末が放送システムのハンドオーバーを要請することになれば、前記端末が放送送出機のハンドオーバー領域にあるか否かを判断する。前記端末が放送送出機のハンドオーバー領域にあるか否かを判断するために、前記移動通信基地局４０３はＤＡＢ送出機の位置情報を知っていなければならない。
【００４６】
即ち、前記移動通信基地局４０３は、ＤＡＢ送出機（１）４０１とＤＡＢ送出機（２）４０２の位置及び近接関係を知っている。前記ＤＡＢ送出機の位置情報を知るために、移動通信システムは、ＤＡＢシステムからＤＡＢ送出機の位置に対する情報を受信し、前記位置情報を送受信する方法は、有線を使用することと無線を使用すること、両方とも可能である。前記ＤＡＢ送出機の位置情報がＤＡＢシステムから移動通信システムへ伝送された後に変更された場合には、前記変更された位置情報をアップデートしなければならない。一般に、送出機の位置は時間的に変更されないので、周期的にやり取りする必要はないし、位置情報が変更される場合のみにアップデートすればよい。前記位置情報が変更される場合とは、新たな送出機がネットワークに追加されるが、既存の送出機がネットワークから削除される場合を意味する。前記移動通信基地局４０３は、前記ＤＡＢ送出機（１）４０１、ＤＡＢ送出機（２）４０２の位置が分かるので、各送出機の位置を羅列して１つの位置マップを生成する。
【００４７】
前記移動通信基地局４０３は、前記放送送出機との位置マップ情報と共に前記放送送出機のハンドオーバーを要請する端末の位置も知っていなければならない。前記端末の位置は、前記端末が放送システムのハンドオーバーを要請した場合、位置追跡サービスを実行することにより分かる。前記位置追跡サービスとは、既存の移動通信網で特定端末の位置を把握するものであって、前記位置把握のためには多様な方法が存在する。代表的な例として、ＧＰＳ（global positioning system）を用いた方法と端末が周辺の他の基地局の信号を受信した時間を用いた方法などがある。前記位置把握のための方法は移動通信システム毎にその可能な方法を規格に定義しているので、前記位置追跡サービスは本発明では扱わないし、前記規格に基づいて位置把握することを仮定する。
【００４８】
前記移動通信基地局４０３が放送システムのハンドオーバーを要請する端末の位置を知っているので、放送送出機の位置マップを参照して前記端末が放送送出機のハンドオーバー領域にあるか否かを判断する。
【００４９】
前記図４を参照すれば、移動通信基地局４０３は、前記端末４０４がＤＡＢ送出機（１）４０１のサービス領域の縁に存在しないことと判断し、前記端末４０４にハンドオーバー開始要請を拒む信号を伝送する。これに反して、端末４０５はＤＡＢ送出機（１）４０１のサービス領域の縁に存在するので、前記移動通信基地局４０３は、前記端末４０５にハンドオーバー開始を受諾する信号を伝送する。
【００５０】
前記受諾信号を受けた端末４０５は、ハンドオーバー過程を遂行し、端末４０５が新たな送出機のアンサンブルを受信し始める。前記端末４０５は、前記受信したアンサンブルのＭＳＣに伝送されるデータを復調するために、まず目的放送送出機から受信されたＦＩＣを復調してＭＣＩ情報を得る。前記ＭＣＩ情報を得てＭＳＣのデータを復調し始めれば、前記端末４０５のハンドオーバーが完了する。
【００５１】
図５は、本発明の好ましい実施例に係る端末の放送システムにおけるハンドオーバーを支援する移動通信基地局の構造を簡略に示す図である。
【００５２】
前記図５を参照すれば、端末５０１と移動通信基地局５０２は、相互通信可能な対話チャンネルを有している。前記移動通信基地局５０２は、前記対話チャンネルを用いて端末５０１から放送システムのハンドオーバー遂行の開始を要請する信号を受けて、端末５０１にハンドオーバー遂行の可否を知らせるために、前記端末５０１の位置を把握する。前記端末５０１の位置を把握するために、移動通信基地局５０２は、送／受信部５０３を通じて特別な信号を送信・受信したり、あるいは、他の外部装置（例えば、ＧＰＳ信号）の情報を用いる。前記把握された端末の位置情報は制御部５０５に入力される。前記端末５０１のハンドオーバー遂行開始の可否を判断するために、前記移動通信基地局５０２はメモリ５０４内の放送送出機位置マップを参照する。移動通信機支局５０２は、制御部５０５で前記メモリ５０４内の放送送出機位置マップと前記把握した端末５０１の位置情報を用いてハンドオーバー遂行要請の受諾の可否及び関連した放送送出機の情報を設定して、前記設定された情報は送／受信部５０３を通じて端末５０１に伝送される。
【００５３】
図６は、本発明の好ましい実施例に係る双方向サービスを支援する受信器の構造を簡略に示す図である。
【００５４】
前記図６を参照すれば、受信器はＲＦ受信部６０１に放送信号を受信し始める。前記ＲＦ受信部６０１から受信された信号のうち、放送信号は放送受信部６０９で処理されるが、前記受信放送信号は放送データ復調部６０３に入力されると共に、信号強さ測定部６０２にも入力される。
【００５５】
前記信号強さ測定部６０２では、受信された信号の強さを測定して、測定された受信信号の強さを制御部６０６に伝達する。前記制御部６０６では、受信器が設定して置いた受信信号に対する基準値と受信信号の強さとを比較する。前記基準値とは、受信器でデータを復調するために必要とする最小限の信号強さ値であって、受信器の性能によって異なるように選択されることができ、また、システムで予め規定して受信器に前記基準値を知らせてくれることができる。前記受信器は、前記基準値をシステムから伝達受けたり、あるいは、受信器の性能によって設定する。即ち、前記基準値より受信された信号の強さが小さければ、受信器は前記受信された信号を碌に復調し出すことができない。したがって、前記制御部６０６では受信された信号の強さが基準値より小さければ、現在のアンサンブルの信号が微弱であると判断して、放送システムのハンドオーバー過程を遂行する準備をし、移動通信送／受信部６０８にハンドオーバー遂行開始の可否を問う信号を伝達する。
【００５６】
前記移動通信送／受信部６０８は、移動通信基地局とのデータをやり取りするために必要とする変／復調を遂行するモジュールを含んでいる。前記制御部６０６で放送システムのハンドオーバー遂行開始の可否を問う信号が入力されれば、前記移動通信送／受信部６０８では前記放送システムのハンドオーバー遂行開始の可否を問う信号を処理し、移動通信チャンネルを用いてＲＦ受信部６０１に伝達する。前記移動通信チャンネルとは、移動通信基地局と端末が移動通信データ送受信のために使用するチャンネルであって、前述した対話チャンネルをいう。
【００５７】
前記放送システムのハンドオーバー遂行開始の可否を問う信号を伝送した後、端末は前記対話チャンネルで放送システムのハンドオーバー遂行開始の可否に対する応答を待つ。前記移動通信送／受信部６０８において、対話チャンネルで放送システムのハンドオーバー遂行開始の可否に対する受諾応答を受ければ、前記移動通信送／受信部６０８は制御部６０６に前記応答を伝達する。前記制御部６０６では移動通信送／受信部６０８から放送システムのハンドオーバー遂行に対して受諾応答を受ければハンドオーバー遂行を準備し、候補アンサンブルの信号を測定する準備をする。前記候補アンサンブルとは、現在受信しているサービスを含んでいる他のアンサンブルをいう。前記他の候補アンサンブルを受信するためには他の候補アンサンブルに対する情報を必要とする。前記他の候補アンサンブルに対する情報は、前記移動通信基地局から対話チャンネルを通じて得たり、あるいは、前記放送送出機から伝送された制御情報から得ることができる。
【００５８】
前記放送データ復調部６０３では、入力されたデータを復調して、前記復調されたデータはＭＳＣデータとＦＩＣデータとに分けられる。前記ＭＳＣデータは、データ処理装置６０５に入力され、前記ＦＩＣデータは制御情報処理装置６０４に入力される。前記制御情報処理装置６０４ではＭＣＩとＳＩを復調し出す。前記復調されたＭＣＩとＳＩはデータ処理装置６０５に入力され、前記データ処理装置６０５では前記制御情報を用いて受信されたＭＳＣデータを各サービス別に復号してアプリケーションモジュール（Application Module）６０７に伝達する。前記アプリケーションモジュール６０７は、前記復号されたサービスデータを受信して端末機画面に必要な形態で出力する。前記復調されたＳＩ情報は制御部６０６にも入力されるが、前記制御部６０６では前記入力された制御情報であるＳＩ情報を用いて候補アンサンブルに対する情報を知ることになる。前記候補アンサンブルに対する情報を受ければ、制御部６０６では如何なる候補アンサンブルでハンドオーバーするかを決定して、前記決定された値をＲＦ受信部６０１に知らせてくれる。前記ＲＦ受信部６０１は、前記制御部６０６から伝達した情報によってＲＦの周波数を変化させる。受信器は前記変化された周波数を通じてハンドオーバーした新たなアンサンブルを受信することになる。
【００５９】
図７は、本発明の好ましい実施例に係る端末でハンドオーバーを遂行する過程を示す流れ図である。
【００６０】
前記図７を参照すれば、端末はステップ７０１でサービング放送送出機から信号を受信してユーザが希望するサービスを開始し、ステップ７０２で受信された信号の強さを測定して前記受信信号の強さを基準値と比較する。前記受信信号の強さが基準値より大きければ、前記サービスを続けて受信しながらステップ７０２に復帰して前記受信信号の強さを周期的に続けて測定し、前記受信された信号の強さが基準値より小さければ、ステップ７０３に進行して移動通信基地局に放送システムのハンドオーバー過程遂行開始の可否を問合わせる。
【００６１】
前記移動通信基地局にハンドオーバー開始問合せ信号を伝送した端末は、ステップ７０４でハンドオーバー受諾応答を一定時間の間待つ。前記移動通信基地局から放送システムのハンドオーバー受諾の応答を前記一定時間の間受けることができなければ、ハンドオーバー過程を遂行しなくて、前記ステップ７０２の受信信号の測定過程を繰り返す。しかしながら、前記移動通信基地局からハンドオーバー受諾の応答を受ければ、端末はステップ７０５に進行してサービング放送送出機から目的放送送出機へのハンドオーバー過程を遂行する。
【００６２】
前記端末が移動通信基地局から放送システムのハンドオーバー遂行に対する情報を得ることにおいて、前記移動通信基地局が端末に送る情報は２つの異なる方案が可能である。第１は、移動通信基地局が端末に放送システムのハンドオーバー遂行過程の開始の可否を判断して知らせてくれることと、第２は、移動通信基地局が端末に放送システムのハンドオーバー遂行過程の開始の可否を判断して知らせてくれると共に、ハンドオーバーすることになる目的放送送出機の情報まで知らせてくれるのである。本発明では前記２つの方案を各々実施例１と実施例２に分けて各実施例に対する図面を参照して記述する。
【００６３】
図８は、本発明の好ましい実施例１に係る端末におけるハンドオーバー遂行過程を示す流れ図である。
【００６４】
前記図８を参照すれば、端末はステップ８０１でサービング放送送出機から信号を受信してユーザが希望するサービスを開始し、ステップ８０２で受信された信号の強さを測定して前記受信信号の強さを基準値と比較する。前記受信信号の強さが基準値より大きければ、サービスを続けて受信しながら、その受信信号の強さを周期的に続けて測定し、前記受信された信号の強さが基準値より小さければ、ステップ８０３に進行して移動通信基地局に放送システムのハンドオーバー過程遂行開始の可否を問合わせた後、移動通信基地局から放送システムのハンドオーバー受諾の応答を待つ。
【００６５】
ステップ８０４において、端末は前記移動通信基地局から放送システムのハンドオーバー遂行開始が受諾されなければ、前記端末はハンドオーバー過程を遂行しなくて、前記ステップ８０２に復帰して受信信号の測定過程を繰り返す。しかしながら、前記移動通信基地局から放送システムのハンドオーバー遂行に対する受諾応答を受ければ、端末機はステップ８０５に進行して候補アンサンブルを探す。前記候補アンサンブルとは、受信器が有しているアンサンブルリストの中で、現在選択されたサービスと同一なサービスを含んでいる他のアンサンブルを指称する。前記アンサンブルリストとは、受信器が放送送出機から受信したＦＩＣを通じて受信したＳＩを用いて候補アンサンブルの情報を得ることができる全てのアンサンブルを指称する。前記アンサンブルリストのうち、現在選択されたサービスと同一なサービスを含む候補アンサンブルが存在しなければ、ハンドオーバーは不可能である。したがって、端末機はステップ８０６に進行して現在のサービスを終了する。
【００６６】
しかしながら、前記アンサンブルリストの中から選択されたサービスと同一なサービスを含む候補アンサンブルが存在すれば、端末機はステップ８０７に進行して前記ＳＩ情報のうち、地域定義（Region Definition）情報を探す。前記地域定義情報は、RegionIdに対する緯度と経度情報で構成される。前記RegionIdは、アンサンブルを地域的に区分して与えたＩＤであって、前記RegionIdが同一なアンサンブルは互いに隣接しているアンサンブルになる可能性が高い。前記地域定義情報を通じてRegionIdの地域情報が分かるので、前記候補アンサンブルに指定されたアンサンブルの概略的な位置判断が可能である。前記位置判断に基づいて端末機は候補アンサンブルの優先順位を定める。端末機は現在アンサンブルからの距離が近いアンサンブルを優先順位の高いアンサンブルに決定し、距離の遠いアンサンブルは前記優先順位を低く設定する。
【００６７】
端末機は前記アンサンブルの優先順位によって、その優先順位の高いアンサンブルを先に選択して、ステップ８０８で前記選択したアンサンブルの受信信号の強さを測定した後、基準値と比較する。前記受信信号の強さが基準値より大きければ、ステップ８１１に進行して前記選択したアンサンブルにハンドオーバーを決定する。しかしながら、前記選択したアンサンブルの受信の強さが基準値より小さければステップ８０９に進行し、次の優先順位を有するアンサンブルがあるか否かを判断する。前記ステップ８０９において、前記受信器が測定するアンサンブルが残っているならば、ステップ８１０に進行して前記受信器は残っているアンサンブルのうち、最も優先順位の高いアンサンブルＩｄに設定して新たなアンサンブルを選択した後、前記ステップ８０８に復帰する。仮りに、次のアンサンブルが存在しなければ受信器は基準値より大きいアンサンブルの信号を受信できなかったので、ステップ８０６に進行して現在のサービスを終了する。前記ステップ８１０において、前記残っているアンサンブルのうち、優先順位によってアンサンブルを選択した場合はステップ８０８に復帰して前記選択したアンサンブルに対する受信信号の強さを測定した後、また基準値と比較する。前記受信信号の強さが基準値より大きければステップ８１１に進行して、前記選択したアンサンブルにハンドオーバーを決定し、前記選択したアンサンブルの受信の強さが基準値より小さければ、ステップ８０９に進行して候補アンサンブルのうち、残っているアンサンブルを選択する上記の過程を繰り返す。
【００６８】
図９は、実施例１に係る移動通信基地局におけるハンドオーバー遂行過程を示す流れ図である。
【００６９】
前記図９を参照すれば、移動通信基地局は、ステップ９０１で自身のセル領域内にある特定端末から放送システムのハンドオーバー遂行開始を要請するメッセージを受ける。移動通信基地局は、ステップ９０２で前記端末の位置を把握し、その位置が放送送出機のサービス領域から外れる地域であるか否かを判断する。前記端末の位置を把握する方法は、前記図５で前述したように、端末から位置把握のために必要な信号を受信して分かる方法と、外部装置を用いて分かる方法、両方とも可能である。前記端末の位置を把握することになれば、移動通信基地局は既に放送送出機の位置に対する情報を有しているので、前記端末が放送送出機のサービス領域のどこに位置するかを把握することになる。
【００７０】
前記端末の位置把握によって、移動通信基地局は、前記端末が放送システムのハンドオーバーを遂行すべき位置にあると判断されれば、ステップ９０３で端末に放送システムのハンドオーバー遂行過程の開始を受諾するＡｃｋメッセージを伝送する。前記端末が放送システムのハンドオーバーを遂行すべき位置に存在しない場合はステップ９０４に進行して端末に放送システムのハンドオーバー遂行過程を受諾しないＮａｃｋメッセージを伝送する。前記メッセージは移動通信基地局と端末が通信する時に使用するチャンネルを使用し、その伝送方式及び伝送位置決定は移動通信システムで使用可能な方式と位置に設定する。
【００７１】
図１０は、本発明の好ましい実施例２に係る端末におけるハンドオーバー遂行過程を示す流れ図である。
【００７２】
前記図１０を参照すれば、端末はステップ１００１で放送送出機の信号を受信してユーザが希望するサービスを開始した後、ステップ１００２で受信された信号の強さを測定し、前記受信信号の強さを基準値と比較する。前記受信信号の強さが基準値より大きければ、サービスを続けて受信しながら、その受信信号の強さを周期的に続けて測定し、前記受信された信号の強さが基準値より小さければ、ステップ１００３に進行して移動通信基地局に放送システムのハンドオーバー過程遂行開始の可否を要請する。
【００７３】
移動通信基地局に信号を伝送した端末は、ステップ１００４で、移動通信基地局から放送システムのハンドオーバー受諾の応答を待つ。前記移動通信基地局から放送システムのハンドオーバー遂行開始の受諾を受けられなければ、前記端末はハンドオーバー過程を遂行しなくて、ステップ１００２に復帰してまた受信信号の測定過程を繰り返す。しかしながら、前記移動通信基地局から放送システムのハンドオーバー遂行に対する受諾応答を受ければ、端末はステップ１００５に進行してハンドオーバー遂行を開始し、前記移動通信基地局から放送システムのハンドオーバー遂行に必要な情報を得る。
【００７４】
前記放送システムのハンドオーバー遂行に必要な情報とは、前記実施例１において、制御情報を通じて得られた情報であるハンドオーバーするアンサンブルに対する情報はもちろん、データの復調のために必要なパラメータもまた含まれる。前記データの復調のために必要なパラメータとは、放送システムにおいてＭＳＣデータを復調するために必要なＭＣＩを意味し、前記ＭＣＩは現在サービスを受けている放送送出機のアンサンブルに対するものでない、ハンドオーバーする放送送出機のアンサンブルに対する情報である。即ち、移動通信基地局は、特定の端末が現在サービスを受信している放送送出機から新たな放送送出機のサービス領域へ移動する際、前記新たな放送送出機のアンサンブルに対する制御情報を端末に予め伝送してくれるものである。前記予め伝送されたハンドオーバーするアンサンブルに対する制御情報によって、端末はステップ１００６で新たな送出機のサービス領域へ移動した時、ＦＩＣを復調しなくても、直ちにＭＳＣを復調してサービスデータを復調することが可能になる。
【００７５】
図１１は、実施例２に係る移動通信基地局でのハンドオーバー遂行過程を示す流れ図である。
【００７６】
前記図１１を参照すれば、移動通信基地局は、ステップ１１０１で自身のセル領域内にある特定の端末から放送システムのハンドオーバー遂行開始を要請するメッセージを受ける。前記放送システムのハンドオーバー遂行開始要請を特定の端末から要請受けた移動通信基地局は、前記端末の位置を把握し、ステップ１１０２で前記端末の位置が放送送出機のサービス領域から外れる地域であるか否かを判断する。前記端末の位置を把握する方法は、前記図５で前述したように、端末から位置把握のために必要な信号を受信して分かる方法と、外部装置を用いて分かる方法、両方とも可能である。前記端末の位置を把握することになれば、移動通信基地局は既に放送送出機のその位置に対する情報を有しているので、前記端末が放送送出機のサービス領域のどこに位置するかを把握することになる。
【００７７】
前記端末の位置把握によって、移動通信基地局は、前記端末が放送システムのハンドオーバーを遂行すべき位置にあると判断されれば、ステップ１１０３で端末に放送システムのハンドオーバー遂行過程の開始を受諾するＡｃｋメッセージと前記端末がハンドオーバーする放送送出機に対する情報を伝送する。前記ハンドオーバーする放送送出機に対する位置情報は、既に移動通信基地局が放送システムから提供受けたものであって、前記位置情報は放送送出機の位置が変化する度にアップデートされる。前記端末が放送システムのハンドオーバーを遂行すべき位置に存在しない場合は、前記移動通信基地局はステップ１１０４に進行して端末に放送システムのハンドオーバー遂行過程を受諾しないＮａｃｋメッセージを伝送する。前記メッセージは移動通信基地局と端末が通信する時に使用する対話チャンネルを用いて送受信し、その伝送方式及び伝送位置決定は移動通信システムで使用可能な方式と位置に設定する。
【００７８】
一方、前述した本発明に係るハンドオーバー過程は他のディジタル放送システムと他のネットワークシステムに適用可能である。但し、前記ＤＡＢシステムと移動通信システムは、双方向サービスのために必要なインターフェースを定義する規格が存在する。したがって、前記ハンドオーバー過程が他のディジタル放送システムと他のネットワークシステムに適用しようとする場合、前記ディジタル放送システムの規格で前記他のネットワークシステムとのインターフェースを定義する規格を参照して、これを支援しない場合、前記２つのシステムのインターフェースを定義する規格が先行されなければならない。
【００７９】
一方、本発明の詳細な説明では具体的な実施例に関し説明したが、本発明の範囲から外れない限度内で種々なる変形が可能であることはもちろんである。したがって、本発明の範囲は説明された実施例に限るのでなく、後述する特許請求範囲だけでなく、この特許請求範囲と均等なものにより定まなければならない。
【図面の簡単な説明】
【００８０】
【図１】一般的なＤＡＢシステムのフレーム構造を簡略に示す図である。
【図２】アンサンブルサービス区域を簡略に示す図である。
【図３】アンサンブル内のサービス多重化を示す図である。
【図４】本発明の好ましい実施例に係る移動通信基地局と放送送出機との位置関係を示す図である。
【図５】本発明の好ましい実施例に係る端末の放送システムにおいて、ハンドオーバーを支援する移動通信基地局の構造を簡略に示す図である。
【図６】本発明の好ましい実施例に係る双方向サービスを支援する受信器の構造を簡略に示す図である。
【図７】本発明の好ましい実施例に係る端末において、ハンドオーバーを遂行する過程を示す流れ図である。
【図８】本発明の好ましい実施例１に係る端末におけるハンドオーバー遂行過程を示す流れ図である。
【図９】本発明の好ましい実施例１に係る移動通信基地局におけるハンドオーバー遂行過程を示す流れ図である。
【図１０】本発明の好ましい実施例２に係る端末におけるハンドオーバー遂行過程を示す流れ図である。
【図１１】本発明の好ましい実施例２に係る移動通信基地局におけるハンドオーバー遂行過程を示す流れ図である。
【符号の説明】
【００８１】
５０１  端末
５０２  移動通信基地局
５０３  送／受信部
５０４  メモリ
５０５  制御部
【図１】
2007089184.tif 000003
【図２】
2007089184.tif 000004
【図３】
2007089184.tif 000005
【図４】
2007089184.tif 000006
【図５】
2007089184.tif 000007
【図６】
2007089184.tif 000008
【図７】
2007089184.tif 000009
【図８】
2007089184.tif 000010
【図９】
2007089184.tif 000011
【図１０】
2007089184.tif 000012
【図１１】
2007089184.tif 000013